(57)【要約】【課題】汗をかいたり運動したりしても、ゲルマニウム粒が簡単には脱落しないようにする。【解決手段】固定手段３は、ゲルマニウム粒の底部１ｂに取り付けた薄くて広幅の支持プレート３０と、支持プレート３０と着具２とを接着する接着手段３１とを備え、支持プレート３０は、ゲルマニウム粒の底面１ａより大きな面からなる第１面部３０ａと、第１面部３０ａに連続する第２面部３０ｂと、第２面部３０ｂに設けられたゲルマニウム粒の底面１ａより若干小径な貫通部３０ｃとからなり、ゲルマニウム粒１を第１面部３０ａに載置し、第２面部３０ｂを、貫通部３０ｃからゲルマニウム粒１を通して折り曲げ、第１面部３０ａと第２面部３０ｂとを重ね合わせる。【選択図】図２
2010110447.tif 000002
【特許請求の範囲】
【請求項１】
身体に着用可能な着具と、円錐状のゲルマニウム粒と、前記着具における前記身体側の所定部分に前記ゲルマニウム粒を固定する固定手段とを備え、
前記固定手段は、前記ゲルマニウム粒の底部に取り付けた薄くて広幅の支持プレートと、前記支持プレートと前記着具とを接着する接着手段とを備え、
前記支持プレートは、前記ゲルマニウム粒の底面より大きな面からなる第１面部と、前記第１面部に連続する第２面部と、前記第２面部に設けられた前記ゲルマニウム粒の底面より若干小径な貫通部とからなり、
前記ゲルマニウム粒を前記第１面部に載置し、前記第２面部を、前記貫通部から前記ゲルマニウム粒を通して折り曲げ、前記第１面部と前記第２面部とを重ね合わせて、前記支持プレートを前記ゲルマニウム粒の底部に取り付けてなることを特徴とするゲルマニウム健康治療具。
【請求項２】
前記固定手段は、前記支持プレートより大きな面からなる被覆布と、前記被覆布と前記着具とを接着する接着手段とを備え、前記被覆布は、前記ゲルマニウム粒の先端部を挿通する挿通部を有し、前記挿通部から前記ゲルマニウム粒の先端部を突き出して、前記支持プレートを覆って取り付けてなることを特徴とする請求項１に記載のゲルマニウム健康治療具。
【請求項３】
前記支持プレートは、ステンレスからなることを特徴とする請求項１又は２のいずれかに記載のゲルマニウム健康治療具。
【発明の詳細な説明】
【技術分野】
【０００１】
本発明は、身体に着用してコリや痛みの治療、予防、健康増進等に用いるゲルマニウム健康治療具に関する。
【背景技術】
【０００２】
ゲルマニウムは半導体であり、人間の体温程度の温度でイオン化して、皮下の毛細血管を通って血液とイオン交換を行い、体内電気バランスを正常化させてコリや痛みの病状を改善する効果がある。そのため、ゲルマニウムは自律神経を調整して新陳代謝を促進する特性を有しており、身体の経穴経路や、肩凝り、神経痛、筋肉痛等の患部に、ゲルマニウム粒を当接して、痛みを軽減したり無くしたりすることができる。
このように、ゲルマニウム粒を身体に当接する手段として、身体に着用する肌着類にゲルマニウム粒を固定して、この肌着類を着用することでゲルマニウム粒を常時身体に当接する器具がある（例えば、特許文献１及び特許文献２）。
しかし、ゲルマニウムは高価なので、微小なゲルマニウム粒を使用するため、単に接着剤等でゲルマニウム粒を肌着類に固定しても、汗をかいたり運動したりすると、簡単に脱落する問題があった。
【特許文献１】実開昭６２−１７７７４０号公報
【特許文献２】実開昭６３−１０６４５０号公報
【発明の開示】
【発明が解決しようとする課題】
【０００３】
そこで、本発明が解決しようとする課題は、汗をかいたり運動したりしても、ゲルマニウム粒が簡単には脱落しないゲルマニウム健康治療具を提供することにある。
【課題を解決するための手段】
【０００４】
上記課題を解決するために、本発明に係るゲルマニウム健康治療具は、
身体に着用可能な着具と、円錐状のゲルマニウム粒と、着具における身体側の所定部分にゲルマニウム粒を固定する固定手段とを備え、
固定手段は、ゲルマニウム粒の底部に取り付けた薄くて広幅の支持プレートと、支持プレートと着具とを接着する接着手段とを備え、
支持プレートは、ゲルマニウム粒の底面より大きな面からなる第１面部と、第１面部に連続する第２面部と、第２面部に設けられたゲルマニウム粒の底面より若干小径な貫通部とからなり、
ゲルマニウム粒を第１面部に載置し、第２面部を、貫通部からゲルマニウム粒を通して折り曲げ、第１面部と第２面部とを重ね合わせて、支持プレートをゲルマニウム粒の底部に取り付けてなる。
【０００５】
好ましくは、固定手段は、支持プレートより大きな面からなる被覆布と、被覆布と着具とを接着する接着手段とを備え、被覆布は、ゲルマニウム粒の先端部を挿通する挿通部を有し、挿通部からゲルマニウム粒の先端部を突き出して、支持プレートを覆って取り付けてなる。
【０００６】
好ましくは、支持プレートは、ステンレスからなる。
【発明の効果】
【０００７】
本発明に係るゲルマニウム健康治療具は、円錐状のゲルマニウム粒を着具に固定する固定手段を備える。固定手段は、ゲルマニウム粒の底部に薄くて幅広な支持プレートを取付けて、支持プレートと着具とを接着手段で接着する。また、支持プレートは、ゲルマニウム粒の底面より大きな面からなる第１面部と、第１面部に連続する第２面部と、第２面部に設けられたゲルマニウム粒の底面より若干小径な貫通部とからなり、ゲルマニウム粒を第１面部に載置し、第２面部を、貫通部からゲルマニウム粒を通して折り曲げ、第１面部と第２面部とを重ね合わせて、支持プレートをゲルマニウム粒の底部に取り付けてなる。
【０００８】
上記の通り、支持プレートは、ゲルマニウム粒の底面より大きな面なので、接着手段を塗布する接着面積を大きくすることができ、さらに、薄くて広幅の支持プレートを介して着具に接着するので非常に取れ難くく構成される。また、ゲルマニウム粒と支持プレートとを、溶接等することなくしっかりと取り付けることができ、高価なゲルマニウムを変形・破損することがない。
【発明を実施するための最良の形態】
【０００９】
以下、添付図面に基づいて、本発明に係るゲルマニウム健康治療具を詳細に説明する。
【００１０】
図１は、固定手段を示す斜視図である。図２Ａは図１の側面断面図、図２Ｂはゲルマニウム粒を固定手段を介して着具に固定した側面断面図である。図３は、ベルト式のゲルマニウム健康治療具を示す斜視図である。
【００１１】
図１及び図２の通り、ゲルマニウム粒１は、円錐形状のゲルマニウムからなる。ゲルマニウム粒１は、例えば、底面１ａの直径が約８ｍｍ、高さが約８ｍｍで構成される。図２Ｂの通り、ゲルマニウム粒１は、固定手段３を介して、例えば、ベルトや肌着類等の着具２に固定される。なお、ゲルマニウム粒１は、溝部や突出部等を有する円錐形状のものでも適用できる。
【００１２】
固定手段３は、支持プレート３０を備える。支持プレート３０は、ステンレス製の薄板で構成される。ステンレスは、余分な磁波を遮断するので、ゲルマニウム粒１による健康治療効果を促進することができ、また、薄くて丈夫であって、洗濯してもさび難い効果もある。なお、支持プレート３０は、例えば、鉄等の金属類やプラスチック等の薄板で構成しても良い。
【００１３】
支持プレート３０は、薄板の長方形状で構成され、例えば、厚さが約０．３ｍｍで構成される。支持プレート３０は、長辺方向の中間部に仮想的に屈曲線部３０ｅが設けられ、屈曲線部３０ｅの両側に、第１面部３０ａと第２面部３０ｂとを有する。第１面部３０ａと第２面部３０ｂとは、例えば、同じ面積（大きさ）の正方形で構成される。第１面部３０ａ及び第２面部３０ｂは、ゲルマニウム粒１の底面１ａより大きく構成されており、例えば、一辺が約１５ｍｍで構成される。
【００１４】
支持プレート３０は、第２面部３０ｂに貫通部３０ｃが設けられている。貫通部３０ｃは、ゲルマニウム粒１の底面１ａより若干小径の円形状で構成される。好ましくは、図２Ａの通り、貫通部３０ｃの外周面３０ｄは、ゲルマニウム粒１の傾斜角度に沿って傾斜して構成される。従って、貫通部３０ｃは、断面台形状からなり、ゲルマニウム粒１が載置される面側の直径が、ゲルマニウム粒１の底面１ａの直径と同じで、それとは反対面側が、ゲルマニウム粒１の傾斜に沿って若干小径になっている。
【００１５】
図２Ａの通り、ゲルマニウム粒１を支持プレート３０の第１面部３０ａに載置して、屈曲線部３０ｅに沿って第２面部３０ｂを折り曲げる。そして、支持プレート３０の貫通部３０ｃにゲルマニウム粒１を通して、図２Ｂの通り、第２面部３０ｂを第１面部３０ａに重ね合わせる。そして、第１面部３０ａと第２面部３０ｂとを溶着又は接着する。これにより、ゲルマニウム粒１の底部１ｂに、薄くて広幅の支持プレート３０を取り付ける。
【００１６】
ゲルマニウムは、非常に脆い材料であるから、支持プレート３０に溶接等で取り付けると変形・破損するおそれがあるが、上記の通り、貫通部３０ｃが、ゲルマニウム粒１の底面１ａより若干小径で、好ましくは、外周面３０ｄがゲルマニウム粒１の傾斜に沿って形成されているので、ゲルマニウム粒１を、溶接等することなく支持プレート３０にしっかりと固定できる。
【００１７】
そして、着具２に接着手段３１を塗布して、接着手段３１を介して支持プレート３０を着具２に固定する。接着手段３１は、例えば、ホットメルト型接着剤等で構成できるが、面テープ等で構成しても良い。支持プレート３０は、ゲルマニウム粒１の底面１ａより大きな面なので、接着手段３１を塗布する接着面積を大きくすることができ、さらに、薄くて広幅の支持プレート３０を介して着具２に接着することで非常に取れ難くくできる。
【００１８】
固定手段３は、布製の被覆布３２を備える。被覆布３２は、ゲルマニウム粒１に取付けられた支持プレート２より大きな面で構成される。被覆布３２は、ゲルマニウム粒１の先端部１ｃが挿通する挿通部３２ａが設けられている。そして、図２Ｂの通り、被覆布３２を、挿通部３２ｃからゲルマニウム粒１の先端部１ｃを突き出して、支持プレート３１を覆って、接着手段３１を介して着具２に取り付ける。
【００１９】
これにより、支持プレート３０を被覆布３２で覆って、発汗等によるゲルマニウム粒１の脱落をなくすことができる。また、ゲルマニウム粒１は、先端部１ｃからイオン化エネルギー（電子波）を放射するので、余分な部分を被覆布３２で覆うことで、ゲルマニウム及び支持プレート（金属）と肌（身体）との接触面を少なくして、かぶれ等をなくすことができる。
【００２０】
図３の通り、ゲルマニウム健康治療具は、伸縮性を有するベルト式の着具２に、固定手段３を介して、複数のゲルマニウム粒１を所定箇所に固定する。例えば、ゲルマニウム粒１は、経穴経路の周辺に沿って固定される。そして、身体の腰部分・膝部分・肩部分等に、ゲルマニウム健康治療具を装着して、ゲルマニウム粒１を身体（肌）に直接又は間接的に接触・当接して、コリや痛みの病状を軽減したりなくしたりできる。なお、着具２は、シャツやパンツ等の肌着類などで構成しても良い。
【図面の簡単な説明】
【００２１】
【図１】固定手段を示す斜視図である。
【図２】Ａは図１の側面断面図、Ｂはゲルマニウム粒を固定手段を介して着具に固定した側面断面図である。
【図３】ベルト式のゲルマニウム健康治療具を示す斜視図である。
【符号の説明】
【００２２】
１  ゲルマニウム粒
１ａ  ゲルマニウム粒の底面
１ｂ  ゲルマニウム粒の底部
１ｃ  ゲルマニウム粒の先端部
２  着具
３  固定手段
３０  支持プレート
３０ａ  第１面部
３０ｂ  第２面部
３０ｃ  貫通部
３１  接着剤
３２  被覆布
３２ａ  挿通部
【図１】
2010110447.tif 000003
【図２】
2010110447.tif 000004
【図３】
2010110447.tif 000005